(57)【要約】【課題】表示装置と表示制御部とを電気的に接続する接続線が制御基板の端部に接触しないようにした情報機器および印刷装置を提供する。【解決手段】ＦＰＣ９は、キー基板６の下面６Ｂ側に配置された表示制御基板７の後端部７２と、ＬＣＤ８の前端部８１とを接続する。ＬＣＤ８とキー基板６は、前後方向に並んで配置される。キー基板６の辺６６と、ＬＣＤ８の辺８６は、左右方向に平行に配置される。ＬＣＤ８におけるＦＰＣ９の接続位置８５は、上下方向におけるキー基板６の下面６Ｂよりも上側に位置する。よってＦＰＣ９は、辺６６と交差して配線される。キーパッド５は、後側の縁部に、下方へ向けて突出する突出部５７を備える。突出部５７は、ＬＣＤ８の前端部８１とキー基板６の後端部６２との間に配置される。突出部５７は、ＦＰＣ９とキー基板６の後端部６２との接触を防止する。【選択図】図５
2016100486.tif 000002
【特許請求の範囲】
【請求項１】
情報を表示する表示装置と、
一方の面である第一面に複数の接点が形成され、且つ前記第一面とは反対側の第二面側に、前記表示装置に表示する情報を出力する表示制御部が配置される制御基板であって、前記制御基板の外縁の一部である第一辺が、前記表示装置の外縁の一部である第二辺に対し、前記表示装置の外縁の他の辺よりも近傍に位置するように配置される制御基板と、
導電性の導通部を複数有し、弾性材料で形成された部材であって、前記制御基板の前記第一面と向き合って配置され、且つ対となる前記接点と前記導通部とが向き合って配置されたキー部材と、
前記表示装置の前記第二辺側から引き出され、前記表示装置と前記表示制御部とを電気的に接続する接続線と
を備え、
前記キー部材の縁部のうち前記制御基板の前記第一辺に対応する縁部に、前記制御基板の厚み方向において前記第二面側へ突出した突出部が形成され、前記突出部の前記第一辺に沿う方向における長さは、前記接続線の前記第一辺に沿う方向の長さよりも長いことを特徴とする情報機器。
【請求項２】
前記表示装置に接続する前記接続線の接続位置は、前記制御基板の前記厚み方向において、前記第二面の位置よりも前記第一面側に位置することを特徴とする請求項１に記載の情報機器。
【請求項３】
前記突出部の前記第一辺に沿う方向における長さは、前記表示装置の前記第一辺に沿う方向の長さよりも長いことを特徴とする請求項１または２に記載の情報機器。
【請求項４】
前記制御基板と前記表示装置とは、前記第一辺と前記第二辺とが平行に配置され、
前記突出部の前記第一辺に沿う方向における長さは、前記表示装置の前記第二辺の長さよりも長いことを特徴とする請求項３に記載の情報機器。
【請求項５】
前記制御基板の前記第一辺に対応する前記キー部材の縁部に、前記突出部とは反対側へ向けて突出する他の突出部が形成されたことを特徴とする請求項１から４のいずれかに記載の情報機器。
【請求項６】
前記制御基板は、前記第一面に前記複数の接点が形成され、前記第二面側に、前記表示制御部を実装する表示制御基板が配置され、前記表示制御基板と電気的に接続される基板であり、
前記接続線は、前記表示装置と前記表示制御基板とを電気的に接続することを特徴とする請求項１から５のいずれかに記載の情報機器。
【請求項７】
請求項１から６のいずれかに記載の情報機器と、
前記表示装置に表示する情報に応じた画像を印刷媒体に印刷する印刷部と
を備えたことを特徴とする印刷装置。
【発明の詳細な説明】
【技術分野】
【０００１】
本発明は、情報を表示する表示装置を備えた情報機器および印刷装置に関する。
【背景技術】
【０００２】
情報を表示する表示装置を備える情報機器が知られている。情報機器に表示する情報を出力する表示制御部は、情報機器の筐体内で、表示装置とは離れた位置に設けられる制御基板に配置される。表示装置と表示制御部とは接続線によって電気的に接続される（例えば特許文献１参照）。
【０００３】
情報機器の製造過程において、表示装置と制御基板とを筐体に組み付ける作業の容易性を確保するため、接続線の長さが、筐体に組み付けられた表示装置と制御基板との間の長さよりも長く設定される場合がある。この場合、接続線は屈曲されて表示装置と制御基板との間に配置され、筐体内に収容される。
【先行技術文献】
【特許文献】
【０００４】
【特許文献１】特開２００９−１１０４１１号公報
【発明の概要】
【発明が解決しようとする課題】
【０００５】
しかしながら、筐体内における表示装置と制御基板の位置関係によっては、制御基板の表示装置側の端部に接続線が接触した状態となる可能性がある。制御基板の端部に接続線が擦れると端部が削れ、接続線が断線する可能性と、削り屑が筐体内に落ちる可能性があった。
【０００６】
本発明は、表示装置と表示制御部とを電気的に接続する接続線が制御基板の端部に接触しないようにした情報機器および印刷装置を提供することを目的とする。
【課題を解決するための手段】
【０００７】
本発明の一態様によれば、情報を表示する表示装置と、一方の面である第一面に複数の接点が形成され、且つ前記第一面とは反対側の第二面側に、前記表示装置に表示する情報を出力する表示制御部が配置される制御基板であって、前記制御基板の外縁の一部である第一辺が、前記表示装置の外縁の一部である第二辺に対し、前記表示装置の外縁の他の辺よりも近傍に位置するように配置される制御基板と、導電性の導通部を複数有し、弾性材料で形成された部材であって、前記制御基板の前記第一面と向き合って配置され、且つ対となる前記接点と前記導通部とが向き合って配置されたキー部材と、前記表示装置の前記第二辺側から引き出され、前記表示装置と前記表示制御部とを電気的に接続する接続線とを備え、前記キー部材の縁部のうち前記制御基板の前記第一辺に対応する縁部に、前記制御基板の厚み方向において前記第二面側へ突出した突出部が形成され、前記突出部の前記第一辺に沿う方向における長さは、前記接続線の前記第一辺に沿う方向の長さよりも長いことを特徴とする情報機器が提供される。
【０００８】
キー部材の突出部は、制御基板の表示装置側端部と表示装置との間に配置される。突出部の第一辺に沿う長さは、接続線の第一辺に沿う長さよりも長い。この構成により、例えば、情報機器が外部から振動を受け、筐体内で表示装置と表示制御部とを接続する接続線が振れた場合でも、接続線は、突出部に遮られ、制御基板の端部に接触しにくい。故に、情報機器は、接続線が制御基板の端部に接触し、端部を擦ることによって削り屑が発生すること、および接続線が断線することを防止することができる。
【０００９】
本態様において、前記表示装置に接続する前記接続線の接続位置は、前記制御基板の前記厚み方向において、前記第二面の位置よりも前記第一面側に位置してもよい。表示装置に接続する接続線の接続位置は、制御基板の第二面よりも厚み方向に第一面側に位置する。即ち、接続線は、筐体内で、制御基板の表示装置側端部と厚み方向に交差する部分を有して配線される。このような構成において、キー部材の突出部は、制御基板の表示装置側端部と表示装置との間に配置されることで、接続線と制御基板の表示装置側端部とを非接触の状態に維持することができる。故に、情報機器は、接続線と制御基板の端部との接触による削り屑の発生と接続線の断線とを防止することができる。
【００１０】
本態様において、前記突出部の前記第一辺に沿う方向における長さは、前記表示装置の前記第一辺に沿う方向の長さよりも長くてもよい。突出部が表示装置の第一辺に沿う方向の長さより長ければ、突出部は、第一辺と直交する方向において、表示装置の制御基板側端部と、制御基板の表示装置側端部との間に位置することができる。故に突出部は、接続線と制御基板の表示装置側端部とを非接触の状態に維持することができる。また、例えば情報機器の組立時に、制御基板の表示装置側端部において削り屑が発生した場合でも、突出部は、削り屑が表示装置側へ移動し、表示画面に付着することを防止できる。
【００１１】
本態様において、前記制御基板と前記表示装置とは、前記第一辺と前記第二辺とが平行に配置されてもよい。前記突出部の前記第一辺に沿う方向における長さは、前記表示装置の前記第二辺の長さよりも長くてもよい。表示装置の第二辺の長さより長い突出部は、表示装置の制御基板側端部の全体と、制御基板の表示装置側端部との間に確実に位置することができる。故に突出部は、接続線と制御基板の表示装置側端部とを非接触の状態に維持することができる。また、例えば情報機器の組立時に、制御基板の表示装置側端部において削り屑が発生した場合でも、突出部は、削り屑が表示装置側へ移動し、表示画面に付着することを防止できる。
【００１２】
本態様において、前記制御基板の前記第一辺に対応する前記キー部材の縁部に、前記突出部とは反対側へ向けて突出する他の突出部が形成されてもよい。突出部に加え、他の突出部が表示装置と制御基板の表示装置側端部との間に配置される。即ち、制御基板の表示装置側端部は、突出部と他の突出部とによって、より広い範囲で、接続線との接触から保護される。故に、情報機器は、例えば、情報機器が外部から振動を受け接続線が制御基板の厚み方向に振れた場合でも、より確実に、接続線と制御基板の端部とを非接触の状態に維持することができる。
【００１３】
本態様において、前記制御基板は、前記第一面に前記複数の接点が形成され、前記第二面側に、前記表示制御部を実装する表示制御基板が配置され、前記表示制御基板と電気的に接続される基板であってもよい。前記接続線は、前記表示装置と前記表示制御基板とを電気的に接続してもよい。接続線が制御基板の第二面側に配置される表示制御基板に接続される場合、例えば情報機器の組立容易性を確保するため、接続線は、比較的長く設けられる場合がある。この場合、筐体内に組み込まれた接続線は、制御基板の表示装置側端部と表示装置との間で湾曲されて配置されるので、例えば、情報機器が外部から振動を受けた場合に大きく振れやすい。このような構成において、突出部が制御基板の表示装置側端部と表示装置との間に配置されることで、突出部は、接続線と制御基板の表示装置側端部とを非接触の状態に維持することができる。故に、情報機器は、接続線と制御基板の端部との接触による削り屑の発生と接続線の断線とを防止することができる。
【００１４】
本態様に係る情報機器と、前記表示装置に表示する情報に応じた画像を印刷媒体に印刷する印刷部とを備えた印刷装置が提供されてもよい。表示装置を備えた印刷装置の筐体内における接続線の配線において、制御基板と接続線との接触を防止することができるので、印刷装置の小型化を図ることができる。
【図面の簡単な説明】
【００１５】
【図１】テーププリンタ１を上方且つ前方左側方から見た斜視図である。
【図２】テーププリンタ１を下方且つ後方右側方から見た斜視図である。
【図３】上筐体３を下方且つ後方右側方から見た分解斜視図である。
【図４】上筐体３を下方且つ後方右側方から見た斜視図である。
【図５】図４の二点鎖線Ａ−Ａにおいて矢視方向に見た上筐体３の断面図である。
【図６】上筐体１０３（変形例）の断面図である。
【発明を実施するための形態】
【００１６】
以下、本発明を具体化した一実施の形態について、図面を参照して説明する。なお、参照する図面は、本発明が採用しうる技術的特徴を説明するために用いられるものである。図示された装置の構成は、その形態のみに限定する趣旨ではなく、単なる説明例である。
【００１７】
図１〜図５を参照し、本発明に係る印刷装置の一例であるテーププリンタ１の概略構成について説明する。以下の説明では、図１の右上側、左下側、右下側、左上側、上側、下側を、夫々テーププリンタ１の右側、左側、前側、後側、上側、下側と定義する。また、テープカセット１０（図２参照）の各方向の定義は、テープカセット１０がテーププリンタ１に装着された状態におけるテーププリンタ１の各方向の定義に倣うものとする。
【００１８】
図１に示す、テーププリンタ１は、着脱自在なテープカセット１０（図２参照）を装着し、テープカセット１０に収容されたテープ１１に文字、数字、図形等のキャラクタを印刷することができる印刷装置である。テープ１１は、例えば、一方の面が加熱によって発色する印刷面であり、他方の面に接着剤が塗布されて剥離紙が貼り付けられたサーマルタイプの印刷媒体である。
【００１９】
テーププリンタ１は、筐体２を備える。筐体２は、平面視、左右方向が長い略矩形状である。筐体２は、上下方向に厚みを有し、角部が丸みを帯びた箱状である。筐体２は樹脂製である。筐体２は、上筐体３、下筐体４およびカバー２１を備える。上筐体３は、筐体２の上側の壁部を含む。下筐体４は、筐体２の前後左右の側壁部および下側の壁部を含む。筐体２は、上筐体３と下筐体４とを上下方向に組み合わせて箱状に構成される。上筐体３内には、後述するキーパッド５、キー基板６、表示制御基板７、液晶ディスプレイ（以下、「ＬＣＤ」という。）８、除電板９０等（図３参照）が組み付けられる。下筐体４内には、後述する印刷機構１５、切断機構１３（図２参照）等が組み付けられる。カバー２１は、筐体２の底部に取り外し可能に取り付けられる。カバー２１は樹脂製である。カバー２１は、筐体２の下側の壁部（以下、「底壁部２Ｂ」（図２参照）という。）全体を覆う。
【００２０】
筐体２の上側の壁部（以下、「上壁部２Ａ」という。）には、入力部２５および表示部２６が設けられる。入力部２５は、上壁部２Ａにおいて、平面視、前後方向の中央よりも後寄りの位置から前側の部分に設けられる。上壁部２Ａの上面には、上筐体３内に組み付けられるキーパッド５（図３参照）に設けられた複数のキートップ部５１が夫々露出される。テーププリンタ１は、入力部２５において、テーププリンタ１に対する種々の指示の入力を受け付ける。
【００２１】
表示部２６は、上壁部２Ａにおいて、平面視、入力部２５よりも後側の部分に設けられる。表示部２６は、入力部２５よりも上側に突出する。表示部２６には、透明または半透明な樹脂で板状に形成された窓部２７が設けられる。窓部２７は前側が下方に傾斜する。窓部２７の下側には、上筐体３内に組み付けられるＬＣＤ８（図３参照）の表示画面（図示略）が配置される。ＬＣＤ８は、窓部２７の傾斜に表示画面を沿わせ、水平方向に対して傾斜した状態で上筐体３内に組み付けられる（図５参照）。
【００２２】
筐体２は、左側の側壁部（以下、「左側壁部２Ｄ」という。）の後部に、カットレバー１２を備える。カットレバー１２は後側部分が下筐体４に軸支され、前側部分が左右方向に移動する。カットレバー１２は、下筐体４内の切断機構１３（図２参照）に連結する。切断機構１３は、印刷済みのテープ１１を所定の長さで切断する。切断機構１３によるテープ１１の切断が行われないとき、カットレバー１２の前側部分は左側壁部２Ｄよりも左方に突出した状態に配置される。
【００２３】
図２に示すように、筐体２の底壁部２Ｂの右側前部には、バッテリー収容部２３が凹部状に形成される。バッテリー収容部２３には、テーププリンタ１に電力を供給するバッテリー（図示略）が収容される。底壁部２Ｂの左側後部には、カセット装着部２２が凹部状に形成される。カセット装着部２２は、テープカセット１０の外形形状に合わせた形状に形成される。カセット装着部２２には、テープ１１を収容するテープカセット１０が上下方向に沿って装着される。
【００２４】
カセット装着部２２の左側後部には、ガイド板２８が設けられる。ガイド板２８は板状に形成され、凹部底面から下方へ突出する。ガイド板２８の厚み方向は、前後方向に配置される。ガイド板２８は、テープカセット１０がカセット装着部２２に装着される際に、テープカセット１０に形成された挿通孔１０Ｂに挿通される。ガイド板２８は、カセット装着部２２に対してテープカセット１０を位置決めする。
【００２５】
下筐体４の印刷機構１５は、テープカセット１０からテープ１１を引き出し、印刷面に印刷を行う機構である。印刷機構１５は、ヘッドホルダ１６、プラテンホルダ１７、駆動モータ（図示略）等を備える。ヘッドホルダ１６は、カセット装着部２２の左側端部に配置され、凹部底面から下方へ突出する。ヘッドホルダ１６は、上下方向へ延びる１枚の板状部材によって形成され、厚み方向が左右方向に配置される。ヘッドホルダ１６の左側面には、サーマルヘッド（図示略）が設けられる。サーマルヘッドは、上下方向に沿って一列に配列される複数（例えば６４個）の発熱素子（図示略）を備える。カセット装着部２２にテープカセット１０が装着された場合、テープ１１は印刷面をヘッドホルダ１６の左側面に向け、サーマルヘッドと対向した状態に配置される。テーププリンタ１は、各発熱素子への通電を制御し、個々の発熱素子を個別に発熱させることで、テープ１１の印刷面にキャラクタを印刷する。
【００２６】
プラテンホルダ１７は、前後方向に延びるアーム状の部材である。プラテンホルダ１７は、カセット装着部２２の左側壁内に設けられる。プラテンホルダ１７は、前端部が下筐体４に軸支され、後端部が左右方向に移動する。プラテンホルダ１７の後端部には、プラテンローラ１８が回転可能に軸支される。プラテンローラ１８の回転軸は、上下方向に沿って配置される。プラテンホルダ１７の後端部が左右方向へ移動することによって、プラテンローラ１８は、プラテンホルダ１７のサーマルヘッドに対して近接および離間する。カセット装着部２２の上側、即ち凹部裏側には、駆動モータ（図示略）が配置される。プラテンホルダ１７およびプラテンローラ１８は、複数のギア（図示略）を介して駆動モータに接続される。カセット装着部２２にテープカセット１０が装着された場合、テープ１１は、プラテンホルダ１７のプラテンローラ１８とヘッドホルダ１６のサーマルヘッドとの間に配置される。印刷時、テーププリンタ１は、駆動モータを駆動させ、プラテンホルダ１７の後側部分を左右方向に移動させて、プラテンローラ１８とサーマルヘッドとの間にテープ１１を挟む。テーププリンタ１は、駆動モータの駆動を制御し、プラテンローラ１８を回転させることで、テープ１１をテープカセット１０から引き出し、後方へ搬送する。
【００２７】
カセット装着部２２に装着されるテープカセット１０は、内部に、印刷面を内側に向けた状態でテープスプール（図示略）に巻回されたテープ１１を収容する。テープカセット１０は、平面視、略矩形状で、テープ１１の幅に応じた厚みを有する。テープカセット１０の後部左側には、厚み方向に貫通する挿通孔１０Ｂが形成される。テープカセット１０がカセット装着部２２に装着された場合、挿通孔１０Ｂには、カセット装着部２２のガイド板２８が挿通される。テープカセット１０は、腕状の案内部１０Ａを備える。案内部１０Ａは、左前角部から左方に突出し、後方へ向けて延びる。テープ１１は、案内部１０Ａ内を通り、案内部１０Ａの後端部からテープカセット１０の外部に引き出される。テープカセット１０がカセット装着部２２に装着された場合、印刷機構１５のヘッドホルダ１６は、前側部分が、案内部１０Ａと、案内部１０Ａに対向するテープカセット１０の左側壁面との間に配置される。サーマルヘッドはヘッドホルダ１６の後側部分に設けられており、案内部１０Ａの後端よりも後側に配置される。
【００２８】
筐体２の底壁部２Ｂのカセット装着部２２よりも後側の部分には、筐体２の後側の壁部（以下、「後壁部２Ｃ」という。）の背面とカセット装着部２２とを接続する排出溝２４が形成される。排出溝２４はカセット装着部２２の後部左側、即ちサーマルヘッドの後方に位置する。印刷機構１５によって印刷されたテープ１１は、排出溝２４から筐体２の外部へ排出される。筐体２にカバー２１（図１参照）が取り付けられた場合、カセット装着部２２、バッテリー収容部２３、および排出溝２４の開口は、カバー２１に覆われて蓋される。
【００２９】
切断機構１３は、カセット装着部２２内で排出溝２４の近傍に設けられる。切断機構１３は固定刃と可動刃（図示略）を備える。可動刃はカットレバー１２（図１参照）に連結する。カットレバー１２の前側部分が右側に移動されると、可動刃はテープ１１を固定刃との間に挟んで切断し、テープ１１の排出溝２４から排出された部分を切り離す。
【００３０】
図３に示すように、上筐体３内で入力部２５が設けられた部分には、キーパッド５とキー基板６が設けられる。キーパッド５とキー基板６は、テーププリンタ１に対する指示の入力を受け付けるための部品である。上筐体３の入力部２５における上壁部２Ａには、複数の穴部３１が形成される。複数の穴部３１は、夫々、角が湾曲した矩形状に形成される。複数の穴部３１には、キーパッド５に設けられた複数のキートップ部５１（図１参照）が、筐体２の内側から外側に向けて挿通される。入力部２５における上壁部２Ａの下面には、入力部２５の前後および左右の四隅に、下方へ突出する突出部材３２が夫々設けられる。夫々の突出部材３２の先端部には、ねじ穴が形成される。図４に示すように、突出部材３２のねじ穴には、夫々、ねじ３３が螺合される。突出部材３２とねじ３３は、上筐体３内にキーパッド５とキー基板６を固定する。
【００３１】
図３、図５に示すように、キーパッド５は、弾性を有する弾性部材である。キーパッド５は、例えばシリコンゴム製である。キーパッド５は、キートップ部５１、スカート部５２およびベース部５３を一体的に有する。ベース部５３は、入力部２５の平面形状と略同一の平面板状の部分である。ベース部５３の前後および左右の四隅には、上筐体３の突出部材３２が挿通される穴部５５または切欠部５６が夫々形成される。
【００３２】
また、ベース部５３は、後側の縁部に、下方へ向けて突出する突出部５７を備える。突出部５７は、キー基板６の後端部６２において、後側の端面の少なくとも一部を覆う位置に設けられる。突出部５７は、少なくとも後述するフレキシブル配線基板（以下、「ＦＰＣ」という。）９の幅よりも長く左右方向に延びる。
【００３３】
ベース部５３は、入力部２５の複数の穴部３１に夫々対応する部位に、夫々、スカート部５２を有する。スカート部５２は、夫々、ベース部５３から上方へ向けて、有底筒状に突出する。各スカート部５２の上端部には、夫々、中実で柱状のキートップ部５１（図１参照）が設けられる。キートップ部５１は、夫々、上方へ向けて延びる。複数のキートップ部５１は、夫々、平面視で矩形状である。
【００３４】
複数のキートップ部５１には、ＱＷＥＲＴＹ配列で並んだ文字、数字および各種機能（電源、スタイル設定、書体設定、文字サイズ設定、印刷など）が割り当てられる。スカート部５２内には、夫々、導通部５４が設けられる。導通部５４は、複数のキートップ部５１夫々の下端に位置し、スカート部５２内で下方に突出する。上筐体３内にキーパッド５が組み付けられた状態（図４参照）で、特定のキートップ部５１が押下された場合、筐体２の外側から内側に向かう方向の力が、特定のキートップ部５１に接続する特定のスカート部５２に作用する。この場合、特定のスカート部５２は弾性変形し、スカート部５２内の導通部５４を下方に移動させる。一方、特定のキートップ部５１の押下が解除された場合、スカート部５２は復元力によって元の形状に戻り、導通部５４を上方に移動させる。
【００３５】
キー基板６は、厚み方向を上下方向に沿わせ、キーパッド５の下側に配置され、上筐体３内に組み付けられる。キー基板６の上面６Ａは、キーパッド５の下側の面に対向して配置される。キー基板６の平面形状は、筐体２の入力部２５、およびキーパッド５のベース部５３の夫々の平面形状と略同一である。キー基板６の前後および左右の四隅には、ねじ３３（図４参照）が挿通される穴部６５が夫々形成される。
【００３６】
図５に示すように、キー基板６の上面６Ａには、複数の電極部６３およびグランド（図示略）が設けられる。複数の電極部６３の夫々は、一対の接点である。複数の電極部６３は、キーパッド５およびキー基板６が上筐体３に組み付けられた状態（図４参照）で、キーパッド５の複数のキートップ部５１の夫々の下方に配置される。複数のキートップ部５１夫々の下端に設けられた導通部５４は、夫々が対応する電極部６３と向き合って配置される。特定のキートップ部５１が押下された場合、特定のキートップ部５１に対応する導通部５４は下方に移動し、特定のキートップ部５１に対応する位置に配置された電極部６３に接触する。電極部６３を構成する一対の接点は、導通部５４を介して導通する。これにより、入力部２５において押下されたキートップ部５１が特定される。グランド（図示略）は、キー基板６の上面６Ａにおいて、複数の電極部６３の周囲を取り巻き、上面６Ａの外縁部を略一周して設けられる。グランドは、線状のベタ配線であり、基準電位に接続される。
【００３７】
図４に示すように、キーパッド５およびキー基板６が上筐体３に組み付けられる場合、キーパッド５は、キー基板６と、入力部２５における上壁部２Ａの下面との間に挟まれる。キーパッド５の穴部５５または切欠部５６に挿通された上筐体３の突出部材３２に、キー基板６の穴部６５に挿通されたねじ３３が螺合される。これにより、キー基板６は、上筐体３内に固定される。キーパッド５は、入力部２５における上壁部２Ａの下面と、キー基板６の上面６Ａ（図５参照）との間に挟まれて、上筐体３内に配置される。
【００３８】
図３に示すように、キー基板６の前端部６１には、左右方向に並ぶ複数の穴部６４が形成される。複数の穴部６４には、複数の信号線６０（図５参照）の夫々の上端部が接続される。複数の信号線６０の下端部は、表示制御基板７に接続される。
【００３９】
表示制御基板７は、上筐体３内に組み付けられた状態で、キー基板６の下面６Ｂ側に配置される。表示制御基板７は、キー基板６の下面６Ｂに対して下方に離隔した位置で対向し、キー基板６と水平に延びる。表示制御基板７は、平面視、矩形状である。表示制御基板７の前後方向の長さは、キー基板６と略同一であり、左右方向の長さは、キー基板６の略半分である。表示制御基板７には、表示制御部７５が設けられる。表示制御部７５は、ＬＣＤ８に表示させる情報を出力する回路部である。また、本実施形態の表示制御基板７は、テーププリンタ１全体の制御を司るＣＰＵ（図示略）等を実装する。表示制御基板７の前端部７１で左側角部には、コネクタ７３が設けられる。コネクタ７３には、下筐体４の印刷機構１５およびバッテリー収容部２３の電源端子（図示略）に接続する接続線（図示略）が接続される。
【００４０】
表示制御基板７の前端部７１には、左右方向に並ぶ複数の穴部７４が形成される。複数の穴部７４には、複数の信号線６０（図５参照）の夫々の下端部が接続される。キー基板６と表示制御基板７は、複数の信号線６０を介して電気的に接続される。表示制御基板７のＣＰＵは、複数の信号線６０を介してキー基板６から信号を受信する。ＣＰＵは、受信した信号に基づいて、複数のキートップ部５１のいずれか押下されたかを特定できる。
【００４１】
表示制御基板７の７２後端部の右側角部と左側角部は、夫々、一対に設けられた支持部材９６，９７に保持される。支持部材９６，９７は、表示制御基板７を上筐体３内で保持するための部材である。支持部材９６，９７の形状は左右対称である。支持部材９６，９７は、表示制御基板７を、キー基板６に対して下方に離隔した位置で保持する。支持部材９６と支持部材９７とは、架橋部材９８（図５参照）によって左右方向において接続され、一体に形成される。支持部材９６，９７の後端部には、上下方向に貫通する穴部９９が夫々形成される。表示制御基板７が上筐体３に組み付けられる場合、穴部９９にねじ４３が挿通される（図４参照）。
【００４２】
表示制御基板７の７２後端部には、ＦＰＣ９の一端部が接続される。ＦＰＣ９は、表示制御基板７とＬＣＤ８（後述）とを電気的に接続する接続線である。ＦＰＣ９の一端部が接続される接続端子（図示略）は、表示制御基板７の７２後端部において、表示制御基板７の外縁に沿って設けられる。
【００４３】
上筐体３の表示部２６が設けられた部分には、上下方向に貫通する穴部４１が形成される。穴部４１の形状は、左右方向に長い長方形である。窓部２７（図１参照）は、穴部４１を上側から覆い、上筐体３に組み付けられる。また、表示部２６における上壁部２Ａには、穴部４１の後方、右方および左方を囲う板状の収容部２９が形成される。ＬＣＤ８は、収容部２９内に収容され、穴部４１の下側に配置される（図４参照）。
【００４４】
表示部２６における上壁部２Ａの下面で、穴部４１の前側の部分には、平坦な固定部４４が形成される。固定部４４の左右方向の長さは、穴部４１の左右方向の長さと略同じ長さに設けられる。固定部４４には、除電板９０の表示側部分９１が配置される。表示部２６における上壁部２Ａの下面で、固定部４４の左右両側には、夫々、下方へ突出する突出部材４２が設けられる。突出部材４２の夫々の先端部には、ねじ穴が形成される。図４に示すように、表示制御基板７が上筐体３に組み付けられる場合、突出部材４２のねじ穴に、夫々、ねじ４３が螺合される。突出部材４２とねじ４３は、上筐体３内に、支持部材９６，９７を固定する。支持部材９６，９７に保持された表示制御基板７は、キー基板６に対して位置決めされる。
【００４５】
図３に示すように、除電板９０はステンレス製の板状部材である。除電板９０は、表示部２６付近で筐体２内に侵入する静電気からＬＣＤ８を保護するための部材である。除電板９０は、表示側部分９１、延設部分９２、および入力側部分９３を有する。表示側部分９１は、表示部２６における上壁部２Ａの下面に形成された固定部４４に、例えば両面テープによって固定される。表示側部分９１は、表示部２６に配置されるＬＣＤ８の外枠に接触した状態で、上壁部２ＡとＬＣＤ８との間に挟まれる。入力側部分９３は、キーパッド５とキー基板６との間に配置される。入力側部分９３は、キー基板６のグランドに接触した状態で、キーパッド５のベース部５３と、キー基板６の上面６Ａとの間に挟まれる。延設部分９２は、表示側部分９１および入力側部分９３を繋ぐ。除電板９０は、筐体２内に侵入した静電気をキー基板６のグランドを通じて基準電位に逃す。
【００４６】
ＬＣＤ８は、例えばテープ１１に印刷するキャラクタ等、情報を表示する表示画面（図示略）を備えた表示装置である。ＬＣＤ８は、平面視、略矩形の板状に形成される。表示画面は、液晶表示素子（図示略）によって構成される。液晶表示素子を駆動するドライバ回路（図示略）は、ＬＣＤ８の前端部８１に設けられる。前端部８１には、ＦＰＣ９の他端部が接続される。ＦＰＣ９の他端部が接続される接続端子（図示略）は、前端部８１において、ＬＣＤ８の外縁に沿って設けられる。表示制御基板７とＬＣＤ８は、ＦＰＣ９を介して電気的に接続する。表示制御基板７のＣＰＵは、ＦＰＣ９を介してＬＣＤ８側に信号を出力することによって、ＬＣＤ８の表示画面に情報を表示させる。
【００４７】
このような構成のテーププリンタ１において、図４に示すように、ＬＣＤ８とキー基板６は、上筐体３内で、前後方向に並べて配置される。即ち、ＬＣＤ８の前端部８１の前方に、キー基板６の後端部６２が位置する。ここで、キー基板６を平面視したときの輪郭線を構成するキー基板６の外縁の一部であり、後端部６２における外縁を、辺６６とよぶ。また、ＬＣＤ８を平面視したときの輪郭線を構成するＬＣＤ８の外縁の一部であり、前端部８１における外縁を、辺８６とよぶ。ＬＣＤ８とキー基板６とが前後方向に並べて配置されることによって、キー基板６の辺６６は、ＬＣＤ８の辺８６に対し、ＬＣＤ８の外縁の他の辺よりも近傍に配置される。また、本実施形態において、キー基板６の辺６６と、ＬＣＤ８の辺８６とは、平行に配置される。
【００４８】
ＦＰＣ９の他端部は、ＬＣＤ８の前端部８１に接続される。即ちＦＰＣ９は、ＬＣＤ８の辺８６側からＬＣＤ８の外部に引き出される。ＦＰＣ９の一端部は、キー基板６の下方に配置される表示制御基板７の後端部７２に接続される。テーププリンタ１の組立容易性を確保するため、ＦＰＣ９は、上筐体３内に組み込まれた場合のＬＣＤ８の前端部８１と表示制御基板７の後端部７２との直線距離よりも長く形成される。従って、ＦＰＣ９は、上筐体３内で屈曲された状態で配置される。図５に示すように、ＦＰＣ９の折り曲げによる断線等を防止するため、ＦＰＣ９は、上筐体３内で、例えば左右方向に見た場合にＳ字状となるように屈曲される。よって、ＦＰＣ９の部分で、辺８６付近に位置する部分は、ＬＣＤ８の前側へ向けて、ＬＣＤ８の辺８６側から引き出された向きに延びながら、下方へ向けて徐々に屈曲する。
【００４９】
ここで、ＬＣＤ８は、表示部２６の上壁部２Ａの下面で、穴部４１の下側に配置される。そして前述したように、表示部２６は、入力部２５よりも上側に突出する。従って、ＦＰＣ９がＬＣＤ８に接続する接続位置８５は、入力部２５に設けられたキー基板６の下面６Ｂよりも、上下方向の上側に位置する。この構成により、ＬＣＤ８の辺８６の前方に、キー基板６の辺６６が配置される。ＦＰＣ９は、キー基板６の辺６６と交差して配線される。よって、ＦＰＣ９の辺８６付近に位置する部分は、キー基板６の辺６６へ向かうように延びながら、下方へ向けて屈曲する。
【００５０】
前述したように、キーパッド５は、後側の縁部に突出部５７を備える。突出部５７はキー基板６の後端部６２の後端面の少なくとも一部を覆い、後端部６２とＦＰＣ９との間に位置する。図３に示すように、突出部５７は、左右方向に延びて設けられる。キーパッド５とＦＰＣ９とが上筐体３内に組み付けられた状態において、突出部５７が左右方向に延びる長さＬ１は、少なくともＦＰＣ９が左右方向に延びる長さＬ２よりも長い。故に、例えば、ＦＰＣ９が外部からの振動等で上下に揺れても、突出部５７は、ＦＰＣ９とキー基板６の後端部６２との接触を抑制することができる。
【００５１】
また、ＬＣＤ８とキーパッド５とが上筐体３内に組み付けられた状態において、キーパッド５の突出部５７が左右方向に延びる長さＬ１は、ＬＣＤ８の左右方向の長さＬ３よりも長い。この構成によって、例えば、ＦＰＣ９が外部からの振動等で上下だけでなく左右に揺れても、突出部５７は、ＦＰＣ９とキー基板６の後端部６２との接触を、より確実に抑制することができる。また、突出部５７の左右方向の長さＬ１は、収容部２９の左右方向の長さＬ４よりも長い。この構成によって、例えば、ＦＰＣ９が外部からの振動等で揺れても、突出部５７は、ＦＰＣ９とキー基板６の後端部６２との接触を、さらに確実に抑制することができる。また、例えば、キー基板６の端部が他の部品と接触して擦れ屑等が発生しても、突出部５７は、キー基板６側から収容部２９内に、擦れ屑等が進入するのを防止することができる。
【００５２】
以上説明したように、本実施形態のテーププリンタ１において、キーパッド５の突出部５７は、キー基板６の後端部６２とＬＣＤ８との間に配置される。突出部５７の辺６６に沿う長さＬ１は、ＦＰＣ９の辺６６に沿う長さＬ２よりも長い。この構成により、例えば、テーププリンタ１が外部から振動を受け、筐体２内でＬＣＤ８と表示制御部７５を搭載する表示制御基板７とを接続するＦＰＣ９が振れた場合でも、ＦＰＣ９は、突出部５７に遮られ、キー基板６の後端部６２に接触しにくい。故に、テーププリンタ１は、ＦＰＣ９がキー基板６の後端部６２に接触し、後端部６２を擦ることによって削り屑が発生すること、およびＦＰＣ９が断線することを防止することができる。
【００５３】
ＬＣＤ８に接続するＦＰＣ９の接続位置８５は、キー基板６の下面６Ｂよりも上下方向において上面６Ａ側に位置する。即ち、ＦＰＣ９は、筐体２内で、キー基板６の後端部６２と上下方向に交差する部分を有して配線される。このような構成において、キーパッド５の突出部５７は、キー基板６の後端部６２とＬＣＤ８との間に配置されることで、ＦＰＣ９とキー基板６の後端部６２とを非接触の状態に維持することができる。故に、テーププリンタ１は、ＦＰＣ９とキー基板６の後端部６２との接触による削り屑の発生とＦＰＣ９の断線とを防止することができる。
【００５４】
突出部５７がＬＣＤ８の左右方向の長さＬ３より長ければ、突出部５７は、辺６６と直交する前後方向において、ＬＣＤ８の前端部８１と、キー基板６の後端部６２との間に位置することができる。故に突出部５７は、ＦＰＣ９とキー基板６の後端部６２とを非接触の状態に維持することができる。また、例えばテーププリンタ１の組立時に、キー基板６の後端部６２において削り屑が発生した場合でも、突出部５７は、削り屑がＬＣＤ８側へ移動し、表示画面に付着することを防止できる。
【００５５】
長さＬ１が、ＬＣＤ８の辺８６の長さＬ３より長い突出部５７は、ＬＣＤ８の前端部８１の全体と、キー基板６の後端部６２との間に確実に位置することができる。故に突出部５７は、ＦＰＣ９とキー基板６の後端部６２とを非接触の状態に維持することができる。また、例えばテーププリンタ１の組立時に、キー基板６の後端部６２において削り屑が発生した場合でも、突出部５７は、削り屑がＬＣＤ８側へ移動し、表示画面に付着することを防止できる。
【００５６】
ＦＰＣ９がキー基板６の下面６Ｂ側に配置される表示制御基板７に接続される場合、例えばテーププリンタ１の組立容易性を確保するため、ＦＰＣ９は、比較的長く設けられる場合がある。この場合、筐体２内に組み込まれたＦＰＣ９は、キー基板６の後端部６２とＬＣＤ８との間で湾曲されて配置されるので、例えば、テーププリンタ１が外部から振動を受けた場合に大きく振れやすい。このような構成において、突出部５７がキー基板６の後端部６２とＬＣＤ８との間に配置されることで、突出部５７は、ＦＰＣ９とキー基板６の後端部６２とを非接触の状態に維持することができる。故に、テーププリンタ１は、ＦＰＣ９とキー基板６の後端部６２との接触による削り屑の発生とＦＰＣ９の断線とを防止することができる。
【００５７】
ＬＣＤ８を備えたテーププリンタ１の筐体２内におけるＦＰＣ９の配線において、突出部５７がキー基板６とＦＰＣ９との接触を防止することができるので、本構成を備えたテーププリンタ１は、小型化を図ることができる。
【００５８】
なお、本発明は上記実施形態に限定されず、種々の変更を加えることが可能である。例えば、キーパッド５の突出部５７は、キー基板６の後端部６２に接触しなくてもよい。突出部５７は、ＦＰＣ９とキー基板６の後端部６２との間に配置されればよい。
【００５９】
また、図６に示す、上筐体１０３内に組み付けられたキーパッド１０５のように、ベース部１５３の後側の縁部に、下方へ向けて突出する突出部１５７と、上方へ向けて突出する突出部１５８とを備えてもよい。突出部１５７は、例えば、ＦＰＣ９が外部からの振動等で上下に揺れた場合に、ＦＰＣ９とキー基板６の後端部６２との接触を抑制することができる。また、例えば、ＦＰＣ９が外部からの振動等で、突出部１５７の上下方向の大きさよりも大きく上下に揺れた場合でも、突出部１５７に加え、突出部１５８がＬＣＤ８とキー基板６の後端部６２との間に配置される。これにより、突出部１５７と突出部１５８は、上下方向においてより広い範囲で、ＦＰＣ９とキー基板６の後端部６２との接触を抑制することができる。また、突出部１５８は、ＦＰＣ９がキーパッド１０５の上面側に進入することを防止できる。故に突出部１５８は、例えば、ＦＰＣ９が外部からの振動等でキーパッド１０５の上面側に進入した場合に、上筐体１０３とキーパッド１０５とに挟まれて折れ曲がることを防止することができる。
【００６０】
また、キーパッド５の突出部５７は、上記の突出部１５８とは別に、下端部から前方へ向けて突出する第三の突出部を備えてもよい。第三の突出部は、キー基板６の後端部６２の下面６Ｂ側も覆うことができるので、より確実に、ＦＰＣ９とキー基板６の後端部６２との接触を抑制することができる。
【００６１】
また、キー基板６の辺６６と、ＬＣＤ８の辺８６とは、平行に配置されなくてもよい。この場合、突出部５７の辺６６に沿う方向の長さは、ＬＣＤ８の辺６６に沿う方向の長さよりも長ければ、ＦＰＣ９とキー基板６の後端部６２との接触を抑制する上で、なお好ましい。
【００６２】
表示制御基板７の表示制御部７５は、キー基板６の下面６Ｂ側に設けられてもよい。この場合、表示制御基板７はなくてもよい。また、テーププリンタ１の制御を司るＣＰＵ等も、キー基板６の下面６Ｂ側に設けられてもよい。
【００６３】
本実施形態のテーププリンタ１は一例であり、ＬＣＤ８等の表示装置と表示制御部７５とがＦＰＣ９等の接続線で接続された情報機器に本発明を適用すれば、接続線と基板の端部との接触、および接続線の断線を防止することができる。
【００６４】
上記実施形態において、ＬＣＤ８が、本発明の「表示装置」に相当する。上面６Ａが、本発明の「第一面」に相当する。電極部６３が、本発明の「接点」に相当する。下面６Ｂが、本発明の「第二面」に相当する。辺６６が、本発明の「第一辺」に相当する。辺８６が、本発明の「第二辺」に相当する。キー基板６が、本発明の「制御基板」に相当する。キーパッド５が、本発明の「キー部材」に相当する。ＦＰＣ９が、本発明の「接続線」に相当する。突出部１５８が、本発明の「他の突出部」に相当する。テープ１１が、本発明の「印刷媒体」に相当する。印刷機構１５が、本発明の「印刷部」に相当する。
【符号の説明】
【００６５】
１                      テーププリンタ
６                      キー基板
６Ａ                    上面
６Ｂ                    下面
７                      表示制御基板
８                      ＬＣＤ
９                      ＦＰＣ
１１                    テープ
１５                    印刷機構
５４                    導通部
５７，１５７，１５８    突出部
６３                    電極部
６６，８６              辺
７５                    表示制御部
８５                    接続位置
【図１】
2016100486.tif 000003
【図２】
2016100486.tif 000004
【図３】
2016100486.tif 000005
【図４】
2016100486.tif 000006
【図５】
2016100486.tif 000007
【図６】
2016100486.tif 000008